(57)【要約】【課題】濡れた状態で使用する場合であっても確実に手の滑りを防止することができるようにするとともに、軽い握りでブラシ部を強く押圧できるようにした頭髪用ブラシを提供する。【解決手段】この頭髪用ブラシ１は、ベース部２１および柄部２３から成るフレーム２と、このフレーム２のベース部２１に植毛された複数のブリッセル３０とを設けて構成される。そして、特徴的に、前記ブラシ部３と同一面側における柄部２３から起立した突起片４とを設け、当該突起片４に指を係止させて使用させる。また、この突起片４の高さ位置を短いブリッセル３２よりも低くなるように設け、また、この突起片４を、ベース部２１の表面側の高さ位置よりも低くした低部２４から起立させるようにする。【選択図】図１
2013164893.tif 000002
【特許請求の範囲】
【請求項１】
ベース部から起立する複数のブリッセルで構成されるブラシ部と、
当該ベース部の長手方向に設けられる柄部と、
前記ブラシ部と同一面側における柄部から起立した突起片と、を設け、
当該突起片に指を係止させて使用させるようにしたことを特徴とする頭髪用ブラシ。
【請求項２】
前記突起片が、ブラシ部の先端よりも低くなるような高さに設定されたものである請求項１に記載の頭髪用ブラシ。
【請求項３】
前記柄部に、前記ブラシ部におけるベース部の高さ位置よりも低くした低部を設け、
当該低部に前記突起片を設けた請求項２に記載の頭髪用ブラシ。
【発明の詳細な説明】
【技術分野】
【０００１】
本発明は、頭部に使用される頭髪用ブラシに関するものであり、より詳しくは、柄部に特徴を有する頭髪用ブラシに関するものである。
【背景技術】
【０００２】
従来より、頭髪用ブラシは、複数本のブリッセルから成るブラシ部と、このブラシ部を動かすための柄部とを有するように構成されている。ところで、このような頭髪用ブラシを使用する場合、洗面所や浴室などのような濡れた場所で使用すると、手が滑ってしまう可能性がある。このため、柄部に連続する波状の凹凸を設けるようにしたものが提案されている（特許文献１、特許文献２）。このような波状の凹凸を設ければ、その凹凸によって手の滑りを防止することができるため、洗面所や浴室などのような濡れた場所で使用する場合であっても快適に使用することができるようになる。
【先行技術文献】
【特許文献】
【０００３】
【特許文献１】実開平４−９５７２７号公報
【特許文献２】意匠登録第１２９７６８５号
【発明の概要】
【発明が解決しようとする課題】
【０００４】
しかしながら、このような従来の頭髪用ブラシにおいても次のような問題がある。【０００５】
すなわち、上述のような柄部に凹凸を設けるようにした場合であっても、シャンプーや石鹸などの界面活性剤が付着すると、どうしても手が滑ってしまうため、柄部を強く握らなければならなってしまう。【０００６】
また、このように手の滑りを防止するためには、柄部をしっかりと握れるように比較的長めに設定すればよいが、このように柄部を長めに設定した場合は、どうしても頭髪用ブラシ全体が大きくなってしまうという問題がある。【０００７】
そこで、本発明は上記課題に着目してなされたもので、濡れた状態で使用する場合であっても確実に手の滑りを防止することができるようにするとともに、柄部を短くした場合であっても柄部をしっかりと握れるようにした頭髪用ブラシを提供することを目的とするものである。
【課題を解決するための手段】
【０００８】
すなわち、本発明の頭髪用ブラシは、上記課題を解決するために、ベース部から起立する複数のブリッセルで構成されるブラシ部と、当該ベース部の長手方向に設けられる柄部と、前記ブラシ部と同一面側における柄部から起立した突起片とを設け、当該突起片に指を係止させて使用させるようにしたものである。【０００９】
このように構成すれば、突起片に指を係止させることができるため、手全体で柄部を強く握らなくても石鹸やシャンプーなどで手が滑ってしまうことがなくなる。しかも、その突起片に指を係止させることで、そこを中心としてブラシ部の裏側を押圧してモーメントを付与することができ、これによって力強く頭皮をマッサージしたり、頭髪を解かしたりすることができるようになる。【００１０】
また、このような突起片を設ける場合、その高さをブラシ部の先端よりも低くなるようにしておく。【００１１】
このようにすれば、仮にその突起片をブラシ部の近傍に設けた場合であっても、その突起片が頭部に当たってしまうようなことがなくなる。【００１２】
さらに、このような突起片を設ける場合、柄部に、前記ブラシ部におけるベース部の高さ位置よりも低くした低部を設け、その低部から突起片を起立させるようにする。【００１３】
このようにすれば、低部から突起片を起立させることで、実質的に突起片の高さを高くしても、使用時にその突起片が頭部に当たってしまうようなことがなくなる。
【発明の効果】
【００１４】
本発明によれば、ベース部から起立する複数のブリッセルで構成されるブラシ部と、当該ベース部の長手方向に設けられる柄部と、前記ブラシ部と同一面側における柄部から起立した突起片とを設け、当該突起片に指を係止させて使用させるようにしたので、突起片に指を当てて止めることができ、手全体で柄部を強く握らなくても石鹸やシャンプーなどで手が滑ってしまうことがなくなる。しかも、その突起片に指を当てて止めることで、そこを中心としてブラシ部の裏側を押圧してモーメントを付与することができ、これによって力強く頭皮をマッサージしたり、頭髪を解かしたりすることができるようになる。
【図面の簡単な説明】
【００１５】
【図１】本発明の第一の実施の形態における頭髪用ブラシの正面図
【図２】同形態におけるＡ−Ａ断面図
【図３】同形態における頭髪用ブラシのフレームを示す平面図
【図４】第二の実施の形態における頭髪用ブラシの正面図
【発明を実施するための最良の形態】
【００１６】
以下、本発明の実施の形態における頭髪用ブラシ１の構成ついて、図面を参照しながら説明する。【００１７】
この実施の形態における頭髪用ブラシ１は、浴室や洗面所、美容室などで使用されるものであって、図１に示すように、複数のブリッセル３０からなるブラシ部３と、このブラシ部３のブリッセル３０を植毛するベース部２１および柄部２３からなるフレーム２とを有して構成されている。そして、特徴的には、このフレーム２の柄部２３の表面側に突起片４を設け、この突起片４に指の側面を当接させて使用できるようにしたものである。以下、本実施の形態における頭髪用ブラシ１について詳細に説明する。なお、説明の関係上、フレーム２の長手方向におけるブラシ部３を有する側を先端側（柄部２３側を後端側）とし、また、フレーム２におけるブラシ部３を有する面側を表面側（その裏側を背面側）として説明する。【００１８】
この頭髪用ブラシ１のフレーム２は、プラスチックなどの樹脂によって構成されるものであって、長手方向に沿ってベース部２１および柄部２３を一体的に有するように構成されている。ここでベース部２１とは、フレーム２の長手方向における先端側からブリッセル３０の後端側までを示すものとし、柄部２３とは、そのブリッセル３０の後端側からフレーム２の後端部分までを示すものとする。【００１９】
このベース部２１の表面側には、図３に示すように、複数の微小孔２２が設けられており、この微小孔２２にブリッセル３０を挿入して固定させている。このブリッセル３０を挿入させる場合、一本の細い可撓性線材を長さが異なるように１８０度屈曲させ、その屈曲部分を微小孔２２に挿入して固定させるようにしている。このため、ベース部２１の表面側には、長いブリッセル３１と短いブリッセル３２が対をなして複数設けられることになる。【００２０】
このベース部２１の後端側に設けられる柄部２３は、ベース部２１よりも長手方向の寸法が短くなるように構成されるものであって、これによって、全体的にコンパクトにできるようにしている。ここで、この柄部２３とベース部２１との長さ寸法の比率については、「柄部：ベース部≒１：１．５〜１：２」となるように設定され、これによって、収納時に場所を取らないようにしている。【００２１】
そして、特徴的には、このような柄部２３の表面側に、人間の指を引っ掛けるための突起片４を設けるようにしている（図１、図２参照）。この突起片４は、フレーム２の長手方向を横切るような方向（この実施の形態では長手方向に垂直な方向）に起立する面状のものであって、人間の指の側面を当接させるように構成される。これによって、石鹸やシャンプーなどが付着した場合であっても、柄部２３から手が滑べり落ちないようにするとともに、また、使用時においては、その突起片４に係止された指を中心としてベース部２１の背面側を押圧させ、これによって、ブラシ部３に大きなモーメントを付与させるようにしている。【００２２】
この突起片４の起立位置については、可能な限り頭髪用ブラシ１全体をコンパクトにできるように、ブリッセル３０の後端側との隙間に中指と薬指が丁度収まるような位置に起立させ、また、小指をその突起片４の後端側の柄部２３に位置させるようにしている。このように、小指を突起片４の後端側に位置させるようにすれば、小指を握りしめることによって突起片４に係止された薬指を中心としてブラシ部３に大きなモーメントを付与することができるとともに、柄部２３を全体的にしっかりと握らせることができるというメリットがある。【００２３】
ところで、このような突起片４をブラシ部３の近くに設ける場合、その突起片４の高さが高いと、その突起片４が頭部に当たってしまう可能性がある。そこで、柄部２３の表面側にベース部２１の表面側の高さ位置よりも低い低部２４を形成し、その低部２４から突起片４を起立させるようにしている。また、このとき、その突起片４の高さ位置については、短いブリッセル３２の高さ位置よりも低くなるようにしておく。具体的には、この突起片４の高さ寸法については、上限値を２．０ｃｍ以下としておくのが好ましいが、使用者の指の厚みからはみ出してしまう場合は、１．５ｃｍ以下の範囲内にしておくとよい。また、突起片４の高さ寸法の下限値については、０．５ｃｍ以上とすれば手の滑りをある程度防止できるが、より確実に滑りを防止するためには、少なくとも１．０ｃｍ以上としておくのが好ましい。すなわち、この突起片４の高さ寸法を０．５ｃｍ〜２．０ｃｍ（好ましくは、１．０ｃｍ〜１．５ｃｍ）としておく。なお、ここでは短いブリッセル３２よりも低くなるように突起片４を設けるようにしているが、長いブリッセル３１だけでブラシ部３が構成されている場合は、その長いブリッセル３１よりも短くしておけばよく、あるいは、短いブリッセル３２よりも高くしても頭皮に突起片４が当たらない場合は、短いブリッセル３２と長いブリッセル３１の中間位の高さにしておいてもよい。【００２４】
次に、このように構成された頭髪用ブラシ１の使用状態を説明する。【００２５】
このように構成された頭髪用ブラシ１を使用する場合、突起片４とブラシ部３との間の柄部２３に中指と薬指を位置させるとともに、突起片４の後端側の柄部２３に小指を位置させ、薬指と小指によって突起片４を挟み込ませるようにする。また、これと同時に、ベース部２１の背面側を親指と人差指で挟み込ませるようにする。【００２６】
そして、このように頭髪用ブラシ１を把持させて使用させる場合、頭皮を押圧しながらブラシ部３を前後左右に移動させる。このとき、この頭髪用ブラシ１は、柄部２３が非常に短く構成されているが、突起片４に当接する薬指を中心にベース部２１の背面側を押圧するとともに、小指で柄部２３を握り締めることによって、ブラシ部３に頭皮側へ押圧させる大きなモーメントを付与させることができる。しかも、ブラシ部３を長手方向に沿って移動させる場合、突起片４によって薬指が固定されるため、石鹸やシャンプーなどによって手が滑り落ちてしまうようなことがなくなる。【００２７】
また、頭皮を更に強く押圧させる際、短いブリッセル３２によって頭皮が押圧させることになるが、この突起片４の高さが短いブリッセル３２よりも低くなっているため、突起片４が頭皮に当たってしまうようなことがなくなる。【００２８】
しかも、この突起片４を設ける場合、ベース部２１よりも低く設定された低部２４に突起片４を設けるようにしているため、突起片４の高さをある程度高くした場合であっても、その突起片４を頭皮に当接させることがなくなる。【００２９】
このように上記実施の形態によれば、ベース部２１から起立する複数のブリッセル３０で構成されるブラシ部３と、当該ベース部２１の長手方向に設けられる柄部２３と、前記ブラシ部３と同一面側における柄部２３から起立した突起片４とを設け、当該突起片４に指を係止させて使用させるようにしたので、突起片４に指を当てて止めることができ、手全体で柄部２３を強く握らなくても石鹸やシャンプーなどで手が滑ってしまうことがなくなる。しかも、その突起片４に指を当てて止めることで、そこを中心としてブラシ部３の裏側を押圧してモーメントを付与することができ、これによって強い力で頭皮をマッサージしたり、頭髪を解かしたりすることができるようになる。【００３０】
なお、本発明は上記実施の形態に限定されることなく、種々の態様で実施させることができる。【００３１】
例えば、上記実施の形態では、突起片４の後端側に柄部２３を延出させ、そこに小指を位置させるようにしているが、図４に示すように、突起片４が柄部２３の後端部分となるようにしてもよい。このように構成した場合であっても、中指と薬指で柄部２３を把持させることができるとともに、突起片４に係止する薬指を中心にブラシ部３側にモーメントを付与させることができるようになる。【００３２】
また、上記実施の形態では、薬指を突起片４に当接させるようにしているが、中指を当接させるようにしてもよい。但し、中指を当接させる場合は、大きなモーメントをブラシ部３に付与させることが難しくなるため、突起片４の後端側に柄部２３を延出させるようにしておくとより良い。【００３３】
さらに、上記実施の形態では、突起片４を一つだけ設けるようにしているが、複数個設けるようにしてもよい。【００３４】
加えて、この突起片４の形状については、扁平状のものに限らず、指を係止させるようにするものであればどのような形状のものであってもよい。【００３５】
また、上記実施の形態においては頭髪用として説明したが、頭髪用に限らず、顔面、皮膚、その他の人体に使用する場合にも使用できる。このため、本発明における「頭髪用ブラシ」とは、主として頭髪用に使用されるブラシを意味するものとする。
【符号の説明】
【００３６】
１・・・頭髪用ブラシ
２・・・フレーム
２１・・・ベース部
２２・・・微小孔
２３・・・柄部
２４・・・低部
３・・・ブラシ部
３０・・・ブリッセル
３１・・・長いブリッセル
３２・・・短いブリッセル
４・・・突起片
【図１】
2013164893.tif 000003
【図２】
2013164893.tif 000004
【図３】
2013164893.tif 000005
【図４】
2013164893.tif 000006
【国際調査報告】
2013164893.tif 000007
2013164893.tif 000008